(57)【要約】      （修正有）【課題】基礎天端からＲＣ架台下面までの隙間高さが低く、免震支承間距離が長い場合でも、型枠の設置と脱型が容易で、施工コストを低減できるＲＣ架台底型枠を提供する。【解決手段】基礎２０の天端上に互いに離間して配置される一対の免震支承間に跨がって、基礎２０天端から浮き上がったＲＣ架台２２を打設するときに、一対の免震支承間に配置されてＲＣ架台２２の下面を成形するＲＣ架台底型枠１である。このＲＣ架台底型枠１は、板状の底型枠本体２と、この底型枠本体２の下面に高さ調整可能に取付けられたボルトからなる支保工３とでなる。底型枠本体２は、矩形の底板部４と、この底板部４の下面に免震支承の離間方向に沿って突出したリブ５とを有する。支保工３は、底型枠本体２の下面に設けられた雌ねじ部７に上端で高さ調整可能に取付けられ、かつ下端面が球面状の凸曲面とされる。【選択図】図１
2014055397.tif 000002
【特許請求の範囲】
【請求項１】
基礎天端上に互いに離間して配置される一対の免震支承間に跨がって、前記基礎天端から浮き上がったＲＣ架台を打設するときに、前記一対の免震支承間に配置されて前記ＲＣ架台の下面を成形する免震建物用のＲＣ架台底型枠であって、
板状の底型枠本体と、この底型枠本体の下面に高さ調整可能に取付けられたボルトからなる支保工とでなり、
前記底型枠本体は、矩形の底板部と、この底板部の下面に前記免震支承の離間方向に沿って突出したリブとを有し、
前記支保工は、前記底型枠本体の下面に設けられた雌ねじ部に上端で高さ調整可能に取付けられ、かつ下端面が凸曲面である、
ことを特徴とする免震建物用のＲＣ架台底型枠。
【請求項２】
請求項１に記載の免震建物用のＲＣ架台底型枠において、前記底型枠本体の前記リブは、前記底板部の前記免震支承の離間方向に沿う両側縁に沿って設けられ、このリブの前記支保工の設置位置に対応する長さ方向部分に切欠が設けられた免震建物用のＲＣ架台底型枠。
【請求項３】
請求項１または請求項２に記載の免震建物用のＲＣ架台底型枠において、前記底板部の前記雌ねじ部設置位置に、前記支保工の高さ調整用孔を貫通して設けた免震建物用のＲＣ架台底型枠。
【請求項４】
請求項１ないし請求項３のいずれか１項に記載の免震建物用のＲＣ架台底型枠において、前記底型枠本体が、前記免震支承の離間方向に並ぶ２枚の底型枠分割体からなり、これら底型枠分割体を、前記底板部の一部が互いに上下に重なるように組み合わせた免震建物用のＲＣ架台底型枠。
【請求項５】
請求項４に記載の免震建物用のＲＣ架台底型枠において、前記２枚の互いに重ねられる底型枠分割体のうちの、上側となる底型枠分割体の前記底板部に、下側の底型枠分割体の支保工設置位置と重なるスリットを、前記免震支承の離間方向に沿って設けた免震建物用のＲＣ架台底型枠。
【請求項６】
基礎天端上に互いに離間して配置された一対の免震支承間に跨がって、前記基礎天端から浮き上がったＲＣ架台を打設するＲＣ架台施工方法であって、
請求項１ないし請求項５のいずれか１項に記載の免震建物用のＲＣ架台底型枠を前記基礎天端上に配置し、前記底型枠本体の上面が前記免震支承の上面と同レベルとなるように前記ＲＣ架台底型枠を高さ調整する過程と、
前記ＲＣ架台の配筋を行いＲＣ架台側面型枠を設置する過程と、
前記ＲＣ架台底型枠および前記ＲＣ架台側面型枠により構成される型枠内空間にコンクリートを打設する過程と、
前記コンクリートの硬化養生後に前記ＲＣ架台側面型枠および前記ＲＣ架台底型枠を脱型する過程とを含む、
ことを特徴とする免震建物のＲＣ架台施工方法。
【発明の詳細な説明】
【技術分野】
【０００１】
この発明は、基礎天端上に互いに離間して配置される一対の免震支承間に跨がって、前記基礎天端から浮き上がったＲＣ架台を打設するときに、前記一対の免震支承間に配置されてＲＣ架台の下面を成形する免震建物用のＲＣ架台底型枠、およびこれを用いたＲＣ架台施工方法に関する。
【背景技術】
【０００２】
免震工法として、基礎天端上に配置される一対の免震支承間に跨がって、上部構造体のＲＣ架台を基礎天端から浮き上がった状態に設けることが試みられている。このようなＲＣ架台を施工する方法として、打設されるＲＣ架台の底位置に、底型枠とこの底型枠を支える支保工とを設ける方法（以下、第１の施工方法と称す）と、打設されるＲＣ架台の底位置に底型枠を捨て型枠として設置する方法（以下、第２の施工方法称す）とがある。
【先行技術文献】
【特許文献】
【０００３】
【特許文献１】特開２００８−１２７９５９号公報
【特許文献２】特開２００３−２９３６１５号公報
【発明の概要】
【発明が解決しようとする課題】
【０００４】
免震工法の形態によっては、基礎天端からＲＣ架台の下面までの隙間高さが低く、かつ一対の免震支承間の距離が長い場合がある。このような免震工法の場合、上記の第１，第２の施工方法では、以下に挙げる問題がある。
上記第１の施工方法（支保工を使用）の場合、
・施工時に支保工として利用できるものが殆ど無い。
・施工後に底型枠を撤去するのが難しい。
上記第２の施工方法の場合、
・底型枠を捨て型枠とするため、底型枠を再利用できず、施工費用が高価になり易い。  ・免震支承間の距離が長いと、底型枠の面外剛性が必要になり、底型枠のみで施工するには限界がある。
【０００５】
この発明の目的は、基礎天端からＲＣ架台の下面までの隙間高さが低く、免震支承間の距離が長い場合でも、型枠の設置および脱型が容易で、施工コストを低減できる免震建物用のＲＣ架台底型枠およびこれを用いた施工方法を提供することである。
【課題を解決するための手段】
【０００６】
この発明の免震建物用のＲＣ架台底型枠は、基礎天端上に互いに離間して配置される一対の免震支承間に跨がって、前記基礎天端から浮き上がったＲＣ架台（鉄筋コンクリート架台）を打設するときに、前記一対の免震支承間に配置されて前記ＲＣ架台の下面を成形するＲＣ架台底型枠であって、板状の底型枠本体と、この底型枠本体の下面に高さ調整可能に取付けられたボルトからなる支保工とでなる。前記底型枠本体は、矩形の底板部と、この底板部の下面に前記免震支承の離間方向に沿って突出したリブとを有し、前記支保工は、前記底型枠本体の下面に設けられた雌ねじ部に上端で高さ調整可能に取付けられ、かつ下端面が凸曲面である。
【０００７】
この構成によると、前記底型枠本体が、免震支承の離間方向に沿って突出したリブを下面に有する断面形状であるため、剛性が高く得られ、免震支承間の距離が長い場合でも底型枠の設置および脱型が容易に行える。また、底型枠本体を支える支保工としてボルトを用い、前記底型枠本体の下面に設けられた雌ねじ部に上端で高さ調整可能に取付けるようにしたため、施工高さが低い場合、つまり基礎天端からＲＣ架台の下面までの隙間高さが低い場合でも、底型枠の設置および脱型が容易に行える。前記支保工の下端面は凸曲面として丸みを帯びた形状としたため、脱型時の支保工下端面と基礎天端との抵抗を低減でき、この点でも脱型を簡易に行うことができる。さらに、底型枠本体と支保工とでなる浮き型枠としたため、捨て型枠とするものと異なり、再利用ができて、低コストで施工が可能となる。このように、基礎天端からＲＣ架台の下面までの隙間高さが低く、免震支承間の距離が長い場合でも、型枠の設置および脱型が容易で、施工コストを低減できる。
【０００８】
この発明において、前記底型枠本体のリブは、底板部の免震支承の離間方向に沿う両側縁に沿って設けられ、このリブの前記支保工の設置位置に対応する長さ方向部分に切欠が設けられていても良い。
底型枠本体の長さ方向となる免震支承の離間方向に沿う両側縁に前記リブを有する形状であると、底型枠本体の剛性がより一層高く得られ、かつ中間にリブを設ける場合に比べてリブ付きの底型枠本体の製造が容易に行える。両側縁の全長に連続してリブがあると、支保工の取り付けや取り外しの邪魔となるが、前記リブの支保工の設置位置に対応する長さ方向部分に切欠が設けられていると、脱型時に前記リブに設けられた切欠により支保工の取付けや取外しを容易に行えることから、脱型を簡易に行うことができる。このように剛性を高めながら、支保工の取り付けや取り外しき邪魔となることが回避できる。
【０００９】
この発明において，前記底板部の雌ねじ部設置位置に、前記支保工の高さ調整用孔を貫通して設けても良い。
高さ調整用孔が貫通して設けられていると、ＲＣ架台底型枠の設置時に、前記高さ調整用孔からドライバーなどの工具を差し込むことにより、上面側から支保工の高さ調整を行うことができる。そのため、施工性がより一層向上する。
【００１０】
この発明において、前記底型枠本体が、免震支承の離間方向に並ぶ２枚の底型枠分割体からなり、これら底型枠分割体を、前記底板部の一部が互いに上下に重なるように組み合わせてＲＣ架台底型枠を構成しても良い。
このように２枚の底型枠分割体を組み合わせてＲＣ架台底型枠を構成することにより、免震支承の離間距離に応じてＲＣ架台底型枠の長さを可変設定できる。
【００１１】
この場合に、前記２枚の互いに重ねられる底型枠分割体のうちの、上側となる底型枠分割体の底板部に、下側の底型枠分割体の支保工設置位置と重なるスリットを、前記免震支承の離間方向に沿って設けても良い。
この構成の場合、上下に底型枠分割体の底板部が重なる部分でも、上側の底型枠分割体の底板部に設けられたスリットを通して下側の底型枠分割体に取付けられた支保工の高さ調整を容易に行うことができる。また、片方の底型枠分割体を免震支承の離間方向にスライドさせてＲＣ架台底型枠全体の長さ調整を行っても、スリットが下側の底型枠分割体の支保工設置位置と重なるので、支保工の高さ調整が可能である。
【００１２】
この発明の免震建物のＲＣ架台施工方法は、基礎天端上に互いに離間して配置された一対の免震支承間に跨がって、前記基礎天端から浮き上がったＲＣ架台を打設するＲＣ架台施工方法であって、この発明の前記いずれかの構成の免震建物用のＲＣ架台底型枠を用いる。このＲＣ架台底型枠を前記基礎天端上に配置する過程と、前記底型枠本体の上面が前記免震支承の上面と同レベルとなるように前記ＲＣ架台底型枠を高さ調整する過程と、前記ＲＣ架台の配筋を行いＲＣ架台側面型枠を設置する過程と、前記ＲＣ架台底型枠および前記ＲＣ架台側面型枠により構成される型枠内空間にコンクリートを打設する過程と、前記コンクリートの硬化養生後に前記ＲＣ架台側面型枠および前記ＲＣ架台底型枠を脱型する過程とを含む。
【００１３】
この方法によると、この発明のＲＣ架台底型枠の利点が効果的に得られ、基礎天端からＲＣ架台の下面までの隙間高さが低く、免震支承間の距離が長い場合でも、型枠の設置および脱型が容易で、また型枠の再利用が可能なことから施工コストも低減できる。
【発明の効果】
【００１４】
この発明の免震建物用のＲＣ架台底型枠は、基礎天端上に互いに離間して配置される一対の免震支承間に跨がって、前記基礎天端から浮き上がったＲＣ架台を打設するときに、前記一対の免震支承間に配置されて前記ＲＣ架台の下面を成形するＲＣ架台底型枠であって、板状の底型枠本体と、この底型枠本体の下面に高さ調整可能に取付けられたボルトからなる支保工とでなる。前記底型枠本体は、矩形の底板部と、この底板部の下面に前記免震支承の離間方向に沿って突出したリブとを有し、前記支保工が、前記底型枠本体の下面に設けられた雌ねじ部に上端で高さ調整可能に取付けられ、かつ下端面を凸曲面としたため、基礎天端からＲＣ架台の下面までの隙間高さが低く、免震支承間の距離が長い場合でも、型枠の設置および脱型が容易で、施工コストを低減できる。
【００１５】
この発明の免震建物のＲＣ架台施工方法は、基礎天端上に互いに離間して配置された一対の免震支承間に跨がって、前記基礎天端から浮き上がったＲＣ架台を打設するＲＣ架台施工方法であって、この発明のＲＣ架台底型枠を前記基礎天端上に配置し、前記底型枠本体の上面が前記免震支承の上面と同レベルとなるように前記ＲＣ架台底型枠を高さ調整する過程と、前記ＲＣ架台の配筋を行いＲＣ架台側面型枠を設置する過程と、前記ＲＣ架台底型枠および前記ＲＣ架台側面型枠により構成される型枠内空間にコンクリートを打設する過程と、前記コンクリートの硬化養生後に前記ＲＣ架台側面型枠および前記ＲＣ架台底型枠を脱型する過程とを含むため、基礎天端からＲＣ架台の下面までの隙間高さが低く、免震支承間の距離が長い場合でも、型枠の設置および脱型が容易で、施工コストを低減できる。
【図面の簡単な説明】
【００１６】
【図１】（Ａ）はこの発明の一実施形態にかかる免震建物用のＲＣ架台底型枠を用いて行うＲＣ架台の施工の説明図、（Ｂ）は（Ａ）におけるＢ部の拡大断面図である。
【図２】同施工が行われる基礎天端のＲＣ架台底型枠の配置前を示す平面図である。
【図３】同基礎天端のＲＣ架台底型枠の配置後を示す平面図である。
【図４】（Ａ）は単体型のＲＣ架台底型枠の斜視図、（Ｂ）は（Ａ）におけるIVb-IVb矢視断面の拡大図、（Ｃ）は同ＲＣ架台底型枠の変形例を示す部分斜視図である。
【図５】図４に示す単体型のＲＣ架台底型枠における底型枠本体を下面側から見た平面図、正面図、および側面図である。
【図６】複合型のＲＣ架台底型枠を構成する片方の底型枠分割体の一例を下面側から見た平面図、正面図、および側面図である。
【図７】複合型のＲＣ架台底型枠を構成するもう片方の底型枠分割体の一例を下面側から見た平面図、正面図、および側面図である。
【図８】複合型のＲＣ架台底型枠を構成するもう片方の底型枠分割体の他の例を下面側から見た平面図、正面図、および側面図である。
【図９】単体型のＲＣ架台底型枠を２つ並べた組み合わせ例を下面側から見た平面図である。
【図１０】単体型のＲＣ架台底型枠と複合型のＲＣ架台底型枠とを並べた組み合わせ例を下面側から見た平面図である。
【図１１】図１０に示す組み合わせ例において、複合型のＲＣ架台底型枠を長さ調整した例を下面側から見た平面図である。
【図１２】単体型のＲＣ架台底型枠と複合型のＲＣ架台底型枠とを並べた他の組み合わせ例を下面側から見た平面図である。
【図１３】図１２に示す組み合わせ例において、複合型のＲＣ架台底型枠を長さ調整した例を下面側から見た平面図である。
【図１４】この発明のＲＣ架台底型枠を用いたＲＣ架台施工方法での免震支承を設置する過程を示す説明図である。
【図１５】同施工方法でのＲＣ架台底型枠を配置する過程を示す説明図である。
【図１６】同施工方法でのＲＣ架台を打設する過程を示す説明図である。
【図１７】同施工方法でのＲＣ架台底型枠を脱型する過程を示す説明図である。
【発明を実施するための形態】
【００１７】
この発明の一実施形態を図１ないし図１７と共に説明する。この免震建物用のＲＣ架台底型枠１は、図２のように基礎２０の天端上に互いに離間して配置される一対の免震支承２１，２１間に跨がって、図１のように免震建物の前記基礎２０の天端から浮き上がったＲＣ架台２２を打設するときに、図３のように一対の免震支承２１，２１間に配置されてＲＣ架台２２の下面を成形するものである。免震支承２１は、上部構造体（図示せず）を免震可能に支承する免震装置である。ＲＣ架台２２は、ベース部２２ａと立ち上がり部２２ｂとでなる布基礎状であり、ＲＣ架台底型枠１と、ＲＣ架台側面型枠２３，２３′とでなるＲＣ架台型枠を用いて打設される。立ち上がり部２２ｂを成形するＲＣ架台側面型枠２３′は、埋殺しとなる線材等の支持部材２４を介してＲＣ架台底型枠１上に設置される。なお、ＲＣ架台底型枠としては、単体型のＲＣ架台底型枠１を用いる場合と、複合型のＲＣ架台底型枠１Ａ，１Ｂを用いる場合とがある。
【００１８】
図４（Ａ）は、単体型のＲＣ架台底型枠１の斜視図を示す。図５（Ａ）〜（Ｃ）には、このＲＣ架台底型枠１の底型枠本体２を下面側から見た平面図、正面図および側面図を示す。ここで言う単体型のＲＣ架台底型枠１とは、１枚の板材だけで底型枠本体２が構成されるＲＣ架台底型枠のことである。このＲＣ架台底型枠１は、板状の底型枠本体２と、この底型枠本体２の下面に高さ調整可能に取付けられたボルトからなる支保工３とでなる。なお、図４（Ａ）および図５では、支保工３を底型枠本体２から取り外した状態を示している。
【００１９】
底型枠本体２は、矩形の底板部４と、この底板部４の下面に前記免震支承２１の離間方向に沿って突出した３つのリブ５，６とを有する。以下、このＲＣ架台底型枠１の前記免震支承２１の離間方向に沿う方向を長さ方向と呼び、これと直交する方向を幅方向と呼ぶ。
【００２０】
図４（Ｂ）は、図４（Ａ）のIVb-IVb矢視断面を拡大して示す。同図のように、支保工３は、底型枠本体２の下面に設けられた雌ねじ部７に上端で高さ調整可能に取付られ、かつ下端面つまりボルト頭部の表面が球面状の凸曲面とされている。
ここでは、雌ねじ部７は、底型枠本体２の下面にナットを溶接して構成されるが、この他に例えば、底型枠本体２にバーリング加工等で円筒状の突部を設け、その円筒状突部内をねじ加工することにより、底型枠本体２に直接に雌ねじ部７を形成しても良い。雌ねじ部７は、矩形の底板部４の下面の４隅にそれぞれ設けられており、底板部４の前記雌ねじ部７の各設置位置には、支保工３の高さ調整用孔８が上下に貫通してそれぞれ設けられている。支保工３の上端面には、六角形や、＋形、−形などの溝（図示せず）が加工されており、前記高さ調整用孔８からドライバーなどの工具を差し込むことにより、ＲＣ架台底型枠１の設置時に上面側から支保工３の高さ調整ができるようにされている。
【００２１】
前記３つのリブ５，６のうち、２つのリブ５は、底板部４の両側縁つまり幅方向両端に設けられる。残る１つのリブ６は、底板部４の幅方向中央に設けられる。ここでは、底板部４とその両側部縁に設けられる２つのリブ５とを含む底型枠本体２の主要部が、鋼板の曲げ加工品からなるが、底型枠本体２の全体を鋳物で構成しても良い。例えば、アルミの鋳物であっても良い。底板部４の幅方向中央位置に設けられるリブ６は、両側縁に設けられる２つのリブ５よりも突出高さが低くされている。これにより、ＲＣ架台底型枠１の面外剛性が確保されると共に、脱型を簡易に行うことができる。
【００２２】
底板部４の両側縁に設けられるリブ５は、前記支保工３の設置位置に対応する長さ方向の部分に切欠９が設けられている。この場合の切欠９は、リブ５の未形成部であっても、欠如部であっても良い。このようにリブ５に切欠９を設けることで、脱型時に底板部４の下方に工具等を入れることができて、支保工３の取付けや取外しの作業を簡易に行うことができる。なお、底板部４の両側縁に設けられるリブ５には、図４（Ｃ）のように孔１０を設けても良い。このようにリブ５に孔１０を設けることにより、この孔１０を利用して脱型を簡易に行うことができる。このＲＣ架台底型枠１における底型枠本体２の長さ方向の寸法は、例えばモジュール設計における基準の長さ１Ｐ（＝９１０ｍｍ）に設定されている。
【００２３】
図６〜図８は、複合型のＲＣ架台底型枠１Ａ，１Ｂ（図１０〜図１３）の底型枠本体を構成する各種の底型枠分割体１２Ａ，１２Ｂ，１２Ｃを示す。ここで言う複合型のＲＣ架台底型枠１Ａ，１Ｂとは、前記底型枠分割体１２Ａ，１２Ｂ，１２Ｃの中から２枚の底型枠分割体を組み合わせて、前記免震支承２１の離間方向に並べることで１つの底型枠本体が構成されるＲＣ架台底型枠のことである。
【００２４】
図６（Ａ）〜（Ｃ）は、複合型のＲＣ架台底型枠１Ａ，１Ｂを構成する場合の基本となる底型枠分割体１２Ａを下面側から見た平面図、正面図および側面図を示す。この底型枠分割体１２Ａは、単体型のＲＣ架台底型枠１における底型枠本体２と同様に、矩形の底板部４と、この底板部４の下面に前記免震支承２１の離間方向に沿って突出した３つのリブ５，６とを有し、底板部４の長さ方向の一端の両隅部の下面に支保工３を高さ調整可能に取付ける雌ねじ部７が設けられる。リブ５，６は、底板部４の長さ方向の前記雌ねじ部７が設けられる側の半部に限って設けられる。底板部４の長さ方向の残る半部には、その両側縁に沿って一対のスリット１１が設けられる。この底型枠分割体１２Ａにおいても、その長さ方向の寸法は、単体型のＲＣ架台底型枠１における底型枠本体２の場合と同様に基準の長さ１Ｐ（＝９１０ｍｍ）に設定されている。その他の構成は、単体型のＲＣ架台底型枠１における底型枠本体２の場合と同様である。
【００２５】
図７（Ａ）〜（Ｃ）は、図５に示した基本の底型枠分割体１２Ａと組み合わされて複合型のＲＣ架台底型枠１Ａ（図１０，図１１）の底型枠本体を構成する他の底型枠分割体１２Ｂを下面側から見た平面図、正面図および側面図を示す。この底型枠分割体１２Ｂでも、単体型のＲＣ架台底型枠１における底型枠本体２と同様に、矩形の底板部４と、この底板部４の下面に前記免震支承２１の離間方向に沿って突出した３つのリブ５，６とを有し、底板部４の４隅部と長さ方向の一端における両隅部より内側に隣接した部分の合計六箇所の下面に支保工３を高さ調整可能に取付ける雌ねじ部７が設けられる。リブ５，６は、底板部４の長さ方向のほぼ全長にわたって設けられる。この底型枠分割体１２Ｂでは、その長さ方向の寸法は１０００ｍｍに設定されている。その他の構成は、単体型のＲＣ架台底型枠１における底型枠本体２の場合と同様である。
【００２６】
図８（Ａ）〜（Ｃ）は、図６に示した基本の底型枠分割体１２Ａと組み合わされて複合型のＲＣ架台底型枠１Ｂ（図１０，図１１）の底型枠本体を構成する他の底型枠分割体１２Ｃを下面側から見た平面図、正面図および側面図を示す。この底型枠分割体１２Ｃでも、単体型のＲＣ架台底型枠１における底型枠本体２と同様に、矩形の底板部４と、この底板部４の下面に前記免震支承２１の離間方向に沿って突出した３つのリブ５，６とを有し、底板部４の４隅部の下面に支保工３を高さ調整可能に取付ける雌ねじ部７が設けられる。リブ５，６は、底板部４の長さ方向のほぼ全長にわたって設けられる。この底型枠分割体１２Ｃでは、その長さ方向の寸法は５００ｍｍに設定されている。その他の構成は、単体型のＲＣ架台底型枠１における底型枠本体２の場合と同様である。
【００２７】
図９〜図１３は、上記した単体型のＲＣ架台底型枠１と複合型のＲＣ架台底型枠１Ａ，１Ｂとを組み合わせて用いる場合の各組み合わせ例を示す。なお、これらの組み合わせ例の図では、いずれもＲＣ架台底型枠１，１Ａ，１Ｂを下面側から見た平面図を示している。図９の組み合わせ例では、単体型のＲＣ架台底型枠１を２つ長さ方向に並べている。単体型のＲＣ架台底型枠１は長さ寸法が１Ｐ（＝９１０ｍｍ）の基準長さに設定されているので、図２に示す一対の免震支承２１，２１間の離間距離が基準長さ１Ｐの整数倍（９１０ｍｍ，１８２０ｍｍ，２７３０ｍｍ…）である場合、図９のように単体型のＲＣ架台底型枠１を長さ方向に並べることで、免震支承２１間に隙間なくＲＣ架台底型枠を配置できる。
【００２８】
図１０の組み合わせ例では、単体型のＲＣ架台底型枠１と複合型のＲＣ架台底型枠１Ａを長さ方向に並べている。この場合の複合型のＲＣ架台底型枠１Ａは、基本の底型枠分割体１２Ａ（長さ方向の寸法＝９１０ｍｍ）と他の底型枠分割体１２Ｂ（長さ方向の寸法＝１０００ｍｍ）との組み合わせからなり、他の底型枠分割体１２Ｂの上に基本の底型枠分割体１２Ａの一部が重なるように並べて配置され、その重なり部の長さを調整することにより、１．５Ｐ（＝１３６５ｍｍ）〜２Ｐ（＝１８２０ｍｍ）の長さに可変設定できる。ここでは、単体型のＲＣ架台底型枠１が１Ｐの長さ区間を受け持ち、複合型のＲＣ架台底型枠１Ａが１３７４ｍｍの長さ区間を受け持つように設定されている。これにより、図２に示す一対の免震支承２１，２１間の離間距離が１Ｐ（＝９１０ｍｍ）＋１３７４ｍｍである場合に、免震支承２１間に隙間なくＲＣ架台底型枠を配置できる。
【００２９】
複合型のＲＣ架台底型枠１Ａでは、底型枠分割体１２Ｂの上に基本の底型枠分割体１２Ａの一部を重ねた状態で、上側の底型枠分割体１２Ａのスリット１１は、下側の底型枠分割体１２Ｂの支保工３の設置位置と重なって長さ方向に延びるように設けられている。これにより、複合型のＲＣ架台底型枠１Ａにおいて下側の底型枠分割体１２Ｂを長さ方向にスライドさせてＲＣ架台底型枠１Ａの長さを調整しても、下側の底型枠分割体１２Ｂの支保工３に対応する高さ調整用孔８（図４）が常にスリット１１を介して露出した状態となり、支保工３の高さ調整を上から支障なく行うことができる。
【００３０】
図１１は、図１０に示す組み合わせ例において、複合型のＲＣ架台底型枠１Ａでの下側の底型枠分割体１２Ｂを、上側の底型枠分割体１２Ａとの重なり部の長さが短くなるようにスライドさせて、１９１５ｍｍの長さ区間を複合型のＲＣ架台底型枠１Ａで受け持つようにした例を示す。これにより、図２に示す一対の免震支承２１，２１間の離間距離が１Ｐ（＝９１０ｍｍ）＋１９１５ｍｍである場合に、免震支承２１間に隙間なくＲＣ架台底型枠を配置できる。この場合にも、下側の底型枠分割体１２Ｂの支保工３に対応する高さ調整用孔８（図４）がスリット１１を介して露出した状態となり、支保工３の高さ調整を上から支障なく行うことができる。
【００３１】
図１２の組み合わせ例では、単体型のＲＣ架台底型枠１と複合型のＲＣ架台底型枠１Ｂを長さ方向に並べている。この場合の複合型のＲＣ架台底型枠１Ｂは、基本の底型枠分割体１２Ａ（長さ方向の寸法＝９１０ｍｍ）と他の底型枠分割体１２Ｃ（長さ方向の寸法＝５００ｍｍ）との組み合わせからなり、他の底型枠分割体１２Ｃの上に基本の底型枠分割体１２Ａの一部が重なるように並べて配置され、その重なり部の長さを調整することにより、１Ｐ（＝９１０ｍｍ）〜１．５Ｐ（＝１３６５ｍｍ）の長さに可変設定できる。ここでは、単体型のＲＣ架台底型枠１が１Ｐの長さ区間を受け持ち、複合型のＲＣ架台底型枠１Ｂが１０００ｍｍの長さ区間を受け持つように設定されている。これにより、図２に示す一対の免震支承２１，２１間の離間距離が１Ｐ（＝９１０ｍｍ）＋１０００ｍｍである場合に、免震支承２１間に隙間なくＲＣ架台底型枠を配置できる。
この場合も、上側の底型枠分割体１２Ａのスリット１１は、下側の底型枠分割体１２Ｃの支保工３設置位置と重なって長さ方向に延びるように設けられており、下側の底型枠分割体１２Ｃを長さ方向にスライドさせてＲＣ架台底型枠１Ａの長さを調整しても、下側の底型枠分割体１２Ｃの支保工３に対応する高さ調整用孔８（図４）が常にスリット１１を介して露出した状態となり、支保工３の高さ調整を上から支障なく行うことができる。
【００３２】
図１３は、図１２に示す組み合わせ例において、複合型のＲＣ架台底型枠１Ａでの下側の底型枠分割体１２Ｃを、上側の底型枠分割体１２Ａとの重なり部の長さが短くなるようにスライドさせて、１３６５ｍｍの長さ区間を複合型のＲＣ架台底型枠１Ｂで受け持つようにした例を示す。これにより、図２に示す一対の免震支承２１，２１間の離間距離が１Ｐ（＝９１０ｍｍ）＋１３６５ｍｍである場合に、免震支承２１間に隙間なくＲＣ架台底型枠を配置できる。この場合にも、下側の底型枠分割体１２Ｃの支保工３に対応する高さ調整用孔８（図４）がスリット１１を介して露出した状態となり、支保工３の高さ調整を上から支障なく行うことができる。
【００３３】
図１４〜図１７は、この発明のＲＣ架台底型枠を用いたＲＣ架台施工方法の手順を示す説明図である。このＲＣ架台施工方法では、図１４のように、先ず基礎２０の天端上に互いに離間して一対の免震支承２１，２１が設置される。次に、図１５のように、一対の免震支承２１，２１間において、ＲＣ架台底型枠１（１Ａ，１Ｂ）が基礎２０の天端上に配置され、底型枠本体２（または底型枠分割体１２Ａ，１２Ｂ，１２Ｃ）の上面が免震支承２１の上面と同レベルとなるように支保工３の高さ調整が行われる。このとき、底型枠本体２（または底型枠分割体１２Ａ，１２Ｂ，１２Ｃ）の高さ調整用孔８、底型枠分割体１２Ａのスリット１１、およびＲＣ架台底型枠１（１Ａ，１Ｂ）と免震支承２１の継ぎ目部はテープ等で養生され、ＲＣ架台２２を打設するときのコンクリート漏洩防止が図られる。
【００３４】
次に、ＲＣ架台２２の配筋が行われ、図１６のようにＲＣ架台側面型枠２３が設置され、ＲＣ架台底型枠１（１Ａ，１Ｂ）とＲＣ架台側面型枠２３とで構成される型枠内空間にコンクリートが打設される。コンクリートの硬化養生後には、図１７のように前記ＲＣ架台側面型枠２３とＲＣ架台底型枠１（１Ａ，１Ｂ）とが脱型される。図１７では、脱型したＲＣ架台底型枠１（１Ａ，１Ｂ）が下面を上向きにした状態で示されている。ＲＣ架台底型枠１（１Ａ，１Ｂ）の脱型時には、底型枠本体２や底型枠分割体１２Ａ，１２Ｂ，１２Ｃのリブ５に設けられた切欠９により支保工３の取付けや取外しを容易に行えるので、脱型を簡易に行うことができる。また、支保工３の下端面が球面状の凸曲面とされていることから、脱型時の支保工３下端面と基礎２０天端との抵抗を減殺でき、この点でも脱型を簡易に行うことができる。
【００３５】
このように、この構成のＲＣ架台底型枠１（１Ａ，１Ｂ）によると、基礎２０天端からＲＣ架台２２の下面までの隙間高さが低く、免震支承２１間の距離が長い場合でも、ＲＣ架台底型枠１（１Ａ，１Ｂ）の設置および脱型が容易で、ＲＣ架台底型枠１（１Ａ，１Ｂ）を再利用できることから施工コストも低減できる。
【符号の説明】
【００３６】
１，１Ａ，１Ｂ…ＲＣ架台底型枠
２…底型枠本体
３…支保工
４…底板部
５，６…リブ
７…雌ねじ部
８…高さ調整用孔
９…切欠
１０…孔
１１…スリット
１２Ａ，１２Ｂ，１２Ｃ…底型枠分割体
２０…基礎
２１…免震支承
２２…ＲＣ架台
２３…ＲＣ架台側面型枠
【図１】
2014055397.tif 000003
【図２】
2014055397.tif 000004
【図３】
2014055397.tif 000005
【図４】
2014055397.tif 000006
【図５】
2014055397.tif 000007
【図６】
2014055397.tif 000008
【図７】
2014055397.tif 000009
【図８】
2014055397.tif 000010
【図９】
2014055397.tif 000011
【図１０】
2014055397.tif 000012
【図１１】
2014055397.tif 000013
【図１２】
2014055397.tif 000014
【図１３】
2014055397.tif 000015
【図１４】
2014055397.tif 000016
【図１５】
2014055397.tif 000017
【図１６】
2014055397.tif 000018
【図１７】
2014055397.tif 000019